(57)【特許請求の範囲】
【請求項１】
ホース本体（１）の外周面に、透明若しくは半透明の合成樹脂からなる補強芯（２）を螺旋状に巻回してなるホースであって、前記補強芯（２）におけるその中心部（４）よりもホース径方向外側に位置する頂部（５）付近にのみ、前記補強芯（２）の長さ方向に沿うようにして、ホースの種類又は用途を識別するための着色部位（１０）が一体に設けられ、この着色部位（１０）は、前記補強芯（２）の合成樹脂と同じ合成樹脂に着色剤を配合してなり、前記補強芯（２）よりも細幅の棒状に形成されて、前記補強芯（２）の頂部（５）に埋め込んだ状態で配置されていることを特徴とする識別機能を有するホース。
【請求項２】
前記補強芯（２）と着色部位（１０）とを、共押出しにより一体化させた請求項１記載の識別機能を有するホース。
【発明の詳細な説明】
【技術分野】
【０００１】
この発明は、ホースの種類や用途を識別するための着色を施した識別機能を有するホースに関する。
【背景技術】
【０００２】
合成樹脂製のホースとして、軟質樹脂からなるホース本体に、硬質樹脂からなる補強芯を螺旋状に巻回することによって構成したものがある。この種のホースは、可撓性及び耐圧性に優れており、給排水、送排気の他、食品、粉体や粒体、モルタル、油等の各種物品の輸送といった様々な用途に使用されている。また、同じ用途に使用するホースであっても、大きさや形状、材質、性能等の違いによって様々な種類のものがある。
【０００３】
これらホースとしては、外観上見分けが付くものが大半ではあるが、なかには外観だけでは識別が困難な類似したものがある。このような類似したホース同士は、管理や出荷、施工に際して誤認を招き易いといった問題がある。
【０００４】
従来より、外観上類似したホースを見分ける対策の１つとして、ホース外周面に識別用の着色を施すといった方法が採られている。この場合、一般に着色部位は、ホースの樹脂素材に対して異種材料となる着色剤を配合して形成されているため、ホース全体に占める着色部位の割合が大きくなると、ホースの性能に悪影響を及ぼすことがあり、また着色剤の使用量が多くなってコスト高を招くといった不具合がある。かといって、例えば特許文献１にも開示されているように、着色部位をホース外周面に部分的に設けると、ホースの向きによっては、着色部位が隠れてしまって、識別性が損なわれることがある。
【０００５】
上記のような補強芯を螺旋状に巻回したホースにおいては、例えば着色剤を配合した樹脂素材によって補強芯を構成したものがあり、この場合には、ホース全体に占める着色部位の割合をある程度抑えることができ、着色部位がホースの外周全周に亘って現れるので識別性も良好である。
【０００６】
【特許文献１】特開２００３−３０７２８７号公報
【発明の開示】
【発明が解決しようとする課題】
【０００７】
しかしながら、上記のように、補強芯を螺旋状に巻回したホースにおいて、その補強芯を着色剤を配合した樹脂素材によって構成する場合、着色剤の配合により補強芯自体の強度が低下するため、必要な強度を維持するために、補強芯を構成する樹脂素材の見直しが必要となり、大幅な設計変更を強いられるといった不具合があった。
【０００８】
また、ホース全体としてのイメージに与える影響も大きく、使用する着色剤の色をうまく選別しないと、ホース本来の意匠性を損なってしまうといった不具合があった。
【０００９】
そこで、この発明は、上記の不具合を解消して、ホースの種類や用途を識別する着色部位を良好に視認することができるとともに、着色部位の範囲を小さく抑えることで、ホースの性能を良好に維持することができ、しかも大幅な設計変更や意匠性の低下を招くこともない識別機能を有するホースの提供を目的とする。
【課題を解決するための手段】
【００１０】
上記の課題を解決するため、この発明の識別機能を有するホースは、ホース本体１の外周面に、透明若しくは半透明の合成樹脂からなる補強芯２を螺旋状に巻回してなるホースであって、前記補強芯２におけるその中心部４よりもホース径方向外側に位置する頂部５付近にのみ、前記補強芯２の長さ方向に沿うようにして、ホースの種類又は用途を識別するための着色部位１０が一体に設けられ、この着色部位１０は、前記補強芯２の合成樹脂と同じ合成樹脂に着色剤を配合してなり、前記補強芯２よりも細幅の棒状に形成されて、前記補強芯２の頂部５に埋め込んだ状態で配置されていることを特徴とする。
【００１３】
さらに、前記補強芯２と着色部位１０とを、共押出しにより一体化させている。
【発明の効果】
【００１４】
この発明のホースでは、螺旋状に巻回した補強芯の頂部付近に着色部位を設けているので、ホース最外周に着色部位が螺旋状に巻回された状態となって、ホースをどの方向から見ても、またホースが捻れたり、捩れたりしていても、着色部位の色を容易に視認することができ、ホースの種類や用途を確実に識別することができる。
【００１５】
また、このように補強芯の頂部付近にのみ着色部位を設けることによって、ホース全体に占める着色部位の割合を小さくして、ホースの性能を良好に維持することができるとともに、製造コストも削減することができる。しかも、補強芯全体に対する着色部位の割合も極僅かとなるため、補強芯自体の強度低下を抑制して、補強芯を構成する樹脂素材の見直しも不要とすることができ、大幅な設計変更を強いられることもない。加えて、ホース全体としてのイメージも大きく変わることはなく、ホース本来の意匠性を損なうこともない。
【００１６】
さらに、着色部位がホース本体からホース径方向へ大きく離間した位置にあるため、搬送物の輸送によってホース本体の壁面が摩耗しても、ホース内部に着色部位に含まれる着色剤が流れ出して、搬送物に着色剤が混入してしまうといった不具合を生じることがない。この特徴は、本発明の食品輸送用のホースへの適用に特に重要なものである。
【００１７】
また、棒状の着色部位を、補強芯の頂部に埋め込んだ状態で配置することで、着色部位の摩耗を確実に防止して、長期間に亘って識別性を良好に発揮させることができる。しかも、着色部位が補強芯よりも細幅であると、着色部位によって補強芯全体が覆い隠されることがなく、ホース本来の意匠性を良好に維持することができる。
【発明を実施するための最良の形態】
【００１８】
以下、この発明の実施形態を図面に基づいて詳細に説明する。まず、この発明の参考例に係る識別機能を有するホースについて説明すると、この参考例のホースは、図１に示すように、ホース本体１の外周面に、補強芯２を螺旋状に巻回してなる。
【００１９】
ホース本体１は、ポリオレフィン系樹脂を主素材として略円筒状に形成されている。具体的には、透明若しくは半透明な軟質のポリプロピレン樹脂が用いられている。なお、ホース本体１の素材としては、ポリプロピレン樹脂等に限らず、ホースの用途等に応じて適宜選択される樹脂を用いれば良い。
【００２０】
このホース本体１の内部には、網状の補強繊維３が埋設されている。なお、ホース本体１において、必ずしもこのような補強繊維３を設けるには及ばない。
【００２１】
補強芯２は、ポリオレフィン系樹脂を主素材として構成されている。具体的には、透明若しくは半透明な硬質のポリプロピレン樹脂が用いられている。なお、補強芯２の素材としては、ポリプロピレン樹脂等に限らず、ホースの用途等に応じて適宜選択される樹脂を用いれば良い。
【００２２】
この補強芯２は、図２に示すように、例えばその中心部４よりもホース径方向外側に位置する頂部５の外表面が断面略円弧状に形成されている。なお、補強芯２の形状としては、このような形状だけに限定されるものではなく、例えば断面略方形状、断面略凸状、断面略凹状といったようにどのような形状であっても良い。
【００２３】
そして、補強芯２の頂部５付近には、補強芯２の長さ方向に沿うようにして、ホースの種類又は用途を識別するための着色部位１０が設けられている。例えば、着色部位１０の色は、給排水用のホースであれば赤、送排気用のホースであれば青、食品輸送用のホースであれば緑といったように用途毎に設定されたり、ホースの大きさや形状、材質、性能等といった種類毎に設定されている。
【００２４】
この着色部位１０は、マスターバッチにより色付けした樹脂を主素材として構成されている。具体的には、補強芯２の樹脂素材と同じ樹脂に、着色剤を適宜配合してなるものが用いられている。そして、着色部位１０は、補強芯２よりも細幅の帯板状に形成されていて、補強芯２の頂部５の外表面中央に沿って露出した状態で配されている。
【００２５】
上記の識別機能を有するホースは、例えば次のようにして製造される。すなわち、軟質のポリプロピレン樹脂からなる帯状体を螺旋状に巻回して、その先行する帯状体と後続する帯状体の互いに隣接する端縁部同士を熱融着することによってホース本体１を形成する。そして、このホース本体１の外周面に対して、共押出しにより着色部位１０を一体化させた補強芯２を螺旋状に巻回して、その補強芯２をホース本体１の外周面に熱融着することによって、製造される。なお、ホース本体１としては、帯状体を螺旋巻回することによって形成するだけに限らず、例えば押出成形によって形成しても良い。
【００２６】
このようにして構成されたホースでは、その最外周において、細幅の着色部位１０が螺旋状に巻回された状態となっている。従って、ホースをどの方向から見ても、またホースが捻れたり、捩れたりしていても、着色部位１０の色を容易に視認することができ、ホースの種類や用途を確実に識別することができる。また、補強芯２全体に対する着色部位１０の割合は極僅かであって、ホースの強度低下は殆どなく、ホース全体としてのイメージも大きく変わることはない。さらに、ホース本体１からホース径方向へ大きく離間した補強芯２の頂部５に着色部位１０を設けているので、特にホースを食品輸送用として用いる場合において、食品の輸送によってホース本体１の壁面が摩耗しても、ホース内部に着色部位１０に含まれる着色剤が流れ出して、食品に着色剤が混入してしまうといった不具合を生じることがない。
【００２７】
図３及び図４は、この発明の実施形態に係る識別機能を有するホースを示している。この実施形態のホースでは、着色部位１０が補強芯２よりも細幅の棒状に形成されていて、補強芯２の頂部５に埋め込まれた状態で配されている。着色部位１０の色は、透明若しくは半透明の補強芯２を通して視認することができるようになっている。
【００２８】
従って、図１及び図２に示す参考例のホースに比べて、着色部位１０の摩耗を確実に防止して、長期間に亘って識別性を良好に発揮させることができる。また、図１及び図２に示す参考例のホースに比べて、着色部材１０の色がやや不鮮明に見えることになるが、棒状の着色部位１０はホース径方向に厚みを有して、ホースを斜め方向から見ると、着色部位１０がホース径方向に広がって見えることから、視認には何ら支障をきたすことはない。
【００２９】
上記の図３及び図４に示す実施形態のホースの着色部位１０は、断面略円形に形成されているが、例えば図５や図６に示すように断面略楕円形に形成しても良く、さらに図７に示すように断面略方形に形成しても良い。その他の構成及び効果は、図１及び図２に示す参考例のホースと同様である。
【００３０】
この発明は、上記実施形態に限定されるものではなく、この発明の範囲内で上記実施形態に多くの修正及び変更を加え得ることは勿論である。例えば、上記実施形態においては、着色部位１０を補強芯２に沿って連続して設けていたが、着色部位１０を補強芯２に沿ってその長さ方向に適宜間隔をあけて設けるようにしても良い。
【図面の簡単な説明】
【００３１】
【図１】この発明の参考例に係る識別機能を有するホースの一部破断正面図である。
【図２】同じくその要部の縦断面図である。
【図３】この発明の実施形態に係る識別機能を有するホースの一部破断正面図である。
【図４】同じくその要部の縦断面図である。
【図５】同じくその着色部位の変形例を示す縦断面図である。
【図６】同じくその着色部位の別の変形例を示す縦断面図である。
【図７】同じくその着色部位のさらに別の変形例を示す縦断面図である。
【符号の説明】
【００３２】
１・・ホース本体、２・・補強芯、４・・中心部、５・・頂部、１０・・着色部位
【図１】
0004775640.tif 000002
【図２】
0004775640.tif 000003
【図３】
0004775640.tif 000004
【図４】
0004775640.tif 000005
【図５】
0004775640.tif 000006
【図６】
0004775640.tif 000007
【図７】
0004775640.tif 000008